(57)【要約】【課題】線路を簡素化し、導電膜の厚さを大幅に低減することができる上、製造工程及びコストを低減することができるタッチパネル等の単層単点二電極透明導電膜を提供する。【解決手段】単層単点二電極透明導電膜は、基板１を含み、基板１には少なくとも１つの透明導電膜２が設けられ、透明導電膜２には少なくとも１つの第１の軸方向電極板２１が設けられ、第１の軸方向電極板２１には少なくとも１つの第１のタッチ制御部２１１が設けられ、第１のタッチ制御部２１１内には、少なくとも１つの切欠部２１２が設けられる。また、透明導電膜２には少なくとも１つの第２の軸方向電極板２２が設けられ、第２の軸方向電極板２２には少なくとも１つの第２のタッチ制御部２２１が設けられ、第２のタッチ制御部２２１は、第１のタッチ制御部２１１の切欠部２１２内に設けられる。【選択図】図４
0003169569.tif 000002
【実用新案登録請求の範囲】
【請求項１】
基板を備え、前記基板には、少なくとも１つの透明導電膜が設けられ、
前記透明導電膜には、少なくとも１つの第１の軸方向電極板が設けられ、前記第１の軸方向電極板には、少なくとも１つの第１のタッチ制御部が設けられ、前記第１のタッチ制御部内には、少なくとも１つの切欠部が設けられ、
前記透明導電膜には、少なくとも１つの第２の軸方向電極板が設けられ、前記第２の軸方向電極板には、少なくとも１つの第２のタッチ制御部が設けられ、前記第２のタッチ制御部は、前記第１のタッチ制御部の切欠部内に設けられ、前記第２のタッチ制御部は、前記第１のタッチ制御部と隣り合い、互いに接触しないことを特徴とする単層単点二電極透明導電膜。
【請求項２】
前記第１の軸方向電極板には、少なくとも１つの第１のタッチ制御部が設けられ、前記各第１のタッチ制御部は、互いに接続され、前記第１の軸方向電極板は、Ｙ軸方向に配列する電極板であることを特徴とする請求項１に記載の単層単点二電極透明導電膜。
【請求項３】
前記第２の軸方向電極板には、少なくとも１つの第２のタッチ制御部が設けられ、前記各第２のタッチ制御部は、互いに接続され、前記第２の軸方向電極板は、Ｘ軸方向に配列する電極板であることを特徴とする請求項１に記載の単層単点二電極透明導電膜。
【考案の詳細な説明】
【技術分野】
【０００１】
本考案は、タッチパネル等に用いる単層単点二電極透明導電膜に関し、特に、線路を簡素化し、導電膜の厚さを大幅に低減することができる上、製造工程及びコストを低減することができる単層単点二電極透明導電膜に関する。
【背景技術】
【０００２】
従来のタッチパネルの位置入力装置について図１を参照して説明するが、図１に示すように、一般に、従来のタッチパネルの位置入力装置は、基板８１上方に複数の横方向に配列する第１の電極８２と、複数の縦方向に配列する第２の電極８３と、が配置される。第１の電極８２と第２の電極８３は、縦横方向に互いに交差して配列される。また、第１の電極８２には、複数の第１の電極部材８２１が設けられる。第１の電極部材８２１は、第１の配線８２２によって横方向の他の第１の電極部材８２１と接続される。
第２の電極８３には、複数の第２の電極部材８３１が設けられる。第２の電極部材８３１は、第２の配線８３２によって縦方向の他の第２の電極部材８３１と接続される。
【０００３】
図２を同時に参照して説明するが、第１の配線８２２と第２の配線８３２との間には、絶縁部８４が設けられる。絶縁部８４により、第１の配線８２２と第２の配線８３２とは、導通しない。ユーザの指が第１の電極部材８２１及び第２の電極部材８３１に接触したとき、人体上の静電気が第１の電極部材８２１及び第２の電極部材８３１上の電界を変化させることにより、第１の電極部材８２１及び第２の電極部材８３１の静電容量値が変化する。この静電容量値がマイクロプロセッサに伝送されたとき、マイクロプロセッサは、ユーザの指の接触位置を算出することができる。
【０００４】
図２を参照して説明するが、図２に示すように、上述の従来のタッチパネルの位置入力装置は、各第１の配線８２２と第２の配線８３２との間に絶縁部８４がそれぞれ設けられるため、多層構造である。従って、複数の加工工程が必要となる。このため、製造工程が複雑となり、製造コストが増大する。また、第２の配線８３２は、第１の配線８２２及び絶縁部８４を跨って２つの第２の電極部材８３１を接続するため、線路が交錯して複雑となる上、厚さが増大するという欠点を有する。
【先行技術文献】
【特許文献】
【０００５】
【特許文献１】特開平１０−１８７３５０号
【考案の概要】
【考案が解決しようとする課題】
【０００６】
本考案の考案者は、上述の従来技術の欠点を解決するために研究開発を行った。
本考案の目的は、線路を簡素化し、導電膜の厚さを大幅に低減することができる上、製造工程及びコストを低減することができる単層単点二電極透明導電膜を提供することにある。
【課題を解決するための手段】
【０００７】
上述の課題を解決するために、本考案の単層単点二電極透明導電膜は、基板を含む。基板には、少なくとも１つの透明導電膜が設けられる。透明導電膜には、少なくとも１つの第１の軸方向電極板が設けられる。第１の軸方向電極板には、少なくとも１つの第１のタッチ制御部が設けられる。第１のタッチ制御部内には、少なくとも１つの切欠部が設けられる。また、透明導電膜には、少なくとも１つの第２の軸方向電極板が設けられる。第２の軸方向電極板には、少なくとも１つの第２のタッチ制御部が設けられる。第２のタッチ制御部は、第１のタッチ制御部の切欠部内に設けられる。
【０００８】
すなわち、請求項１の考案は、基板を備え、前記基板には、少なくとも１つの透明導電膜が設けられ、前記透明導電膜には、少なくとも１つの第１の軸方向電極板が設けられ、前記第１の軸方向電極板には、少なくとも１つの第１のタッチ制御部が設けられ、前記第１のタッチ制御部内には、少なくとも１つの切欠部が設けられ、前記透明導電膜には、少なくとも１つの第２の軸方向電極板が設けられ、前記第２の軸方向電極板には、少なくとも１つの第２のタッチ制御部が設けられ、前記第２のタッチ制御部は、前記第１のタッチ制御部の切欠部内に設けられ、前記第２のタッチ制御部は、前記第１のタッチ制御部と隣り合い、互いに接触しないことを特徴とする単層単点二電極透明導電膜である。
【０００９】
請求項２の考案は、前記第１の軸方向電極板には、少なくとも１つの第１のタッチ制御部が設けられ、前記各第１のタッチ制御部は、互いに接続され、前記第１の軸方向電極板は、Ｙ軸方向に配列する電極板であることを特徴とする請求項１に記載の単層単点二電極透明導電膜である。
請求項３の考案は、前記第２の軸方向電極板には、少なくとも１つの第２のタッチ制御部が設けられ、前記各第２のタッチ制御部は、互いに接続され、前記第２の軸方向電極板は、Ｘ軸方向に配列する電極板であることを特徴とする請求項１に記載の単層単点二電極透明導電膜である。
【考案の効果】
【００１０】
第１の軸方向電極板の第１のタッチ制御部内に設けられる切欠部に、第２の軸方向電極板の第２のタッチ制御部が設けられる。これにより、単層単点二電極構造を実現することができ、線路を簡素化し、導電膜の厚さを大幅に低減することができる上、製造工程及びコストを低減することができる。
【図面の簡単な説明】
【００１１】
【図１】従来のタッチパネルの位置入力装置を示す平面図である。
【図２】図１の断面図である。
【図３】本考案の一実施形態による単層単点二電極透明導電膜を示す斜視図である。
【図４】本考案の一実施形態による単層単点二電極透明導電膜を示す平面図である。
【図５】本考案の一実施形態による単層単点二電極透明導電膜を示す側面図である。
【図６】本考案の一実施形態による単層単点二電極透明導電膜の使用状態を示す平面図である。
【図７】本考案の他の実施形態による単層単点二電極透明導電膜を示す平面図である。
【考案を実施するための形態】
【００１２】
本考案の目的、特徴および効果を示す実施形態を図面に沿って詳細に説明する。
図３及び図４を参照して説明する。図３及び図４に示すように、本考案の一実施形態によるタッチパネル等に用いる単層単点二電極透明導電膜は、基板１を含む。基板１には、少なくとも１つの透明導電膜２が設けられる。透明導電膜２には、少なくとも１つの第１の軸方向電極板２１が設けられる。第１の軸方向電極板２１には、少なくとも１つの第１のタッチ制御部２１１が設けられる。第１のタッチ制御部内２１１には、少なくとも１つの切欠部２１２が設けられる。各第１のタッチ制御部２１１は、互いに接続される。第１の軸方向電極板２１は、Ｙ軸方向に配列する電極板である。
【００１３】
また、透明導電膜２には、少なくとも１つの第２の軸方向電極板２２が設けられる。第２の軸方向電極板２２には、少なくとも１つの第２のタッチ制御部２２１が設けられる。第２のタッチ制御部２２１は、第１のタッチ制御部２１の切欠部２１２内に設けられる。第２のタッチ制御部２２１は、第１のタッチ制御部２１１と隣り合い、互いに接触しない。各第２のタッチ制御部２２１は、互いに接続される。第２の軸方向電極板２２は、Ｘ軸方向に配列する電極板である。
【００１４】
図７を参照して説明する。本考案の透明導電膜４は、図７に示す態様でもよい。透明導電膜４には、少なくとも１つの第１の軸方向電極板４１及び第２の軸方向電極板４２が設けられる。第１の軸方向電極板４１には、少なくとも１つの第１のタッチ制御部４１１が設けられる。第１のタッチ制御部内４１１には、少なくとも１つの切欠部４１２が設けられる。第２の軸方向電極板４２には、少なくとも１つの第２のタッチ制御部４２１が設けられる。
【００１５】
第２の軸方向電極板４２の第２のタッチ制御部４２１は、第１の軸方向電極板４１の第１のタッチ制御部４１１の切欠部４１２内に設けられる。第２のタッチ制御部４２１は、第１のタッチ制御部４１１と隣り合い、互いに接触しない。各第１のタッチ制御部４１１は、互いに接続される。第１の軸方向電極板４１は、Ｙ軸方向に配列する電極板である。各第２のタッチ制御部４２１は、互いに接続される。第２の軸方向電極板４２は、Ｘ軸方向に配列する電極板である。
【００１６】
図４及び図５を参照して説明する。第１の軸方向電極板２１の第１のタッチ制御部２１１内に設けられる切欠部２１２に、第２の軸方向電極板２２の第２のタッチ制御部２２１が設けられる。これにより、単層単点二電極構造を実現することができ、線路を簡素化し、導電膜の厚さを大幅に低減することができる上、製造工程及びコストを低減することができる。
【００１７】
図６を参照して説明する。また、第１の軸方向電極板２１の一方の端部及び第２の軸方向電極板２２の一方の端部には、制御装置１１が電気的に接続される。これにより、ユーザ３の指３１が透明導電膜２の第１の軸方向電極板２１の第１のタッチ制御部２１１及び第２の軸方向電極板２２の第２のタッチ制御部２２１に接触したとき、ユーザ３体内の静電気が指３１を介して第１のタッチ制御部２１１及び第２のタッチ制御部２２１上の電界を変化させることにより、第１のタッチ制御部２１１及び第２のタッチ制御部２２１の静電容量値が変化する。このとき、第１の軸方向電極板２１の一方の端部及び第２の軸方向電極板２２の一方の端部に制御装置１１が電気的に接続されているため、変化した静電容量値が制御装置１１に伝送される。これにより、制御装置１１は、ユーザ３の指３１が接触した座標位置を計算することができる。
【００１８】
本考案の進歩性及び実用性を顕著に示すため、従来技術との比較を以下に示す。
従来技術の欠点を以下（１）〜（３）に示す。
（１）多層構造であるため、複数の加工工程が必要となる。このため、製造工程が複雑となる。
（２）製造コストが増大する。
（３）線路が交錯して複雑となる上、厚さが増大する。
【００１９】
本考案の長所を以下（１）〜（３）に示す。
（１）線路を簡素化することができることにより、導電膜の厚さを大幅に低減することができる。
（２）製造工程を低減することができるため、良品率を高めることができる。
（３）コストを低減することができる。
【符号の説明】
【００２０】
１  基板
１１  制御装置
２  透明導電膜
２１  第１の軸方向電極板
２１１  第１のタッチ制御部
２１２  切欠部
２２  第２の軸方向電極板
２２１  第２のタッチ制御部
３  ユーザ
３１  指
４  透明導電膜
４１  第１の軸方向電極板
４１１  第１のタッチ制御部
４１２  切欠部
４２  第２の軸方向電極板
４２１  第２のタッチ制御部
８１  基板
８２  第１の電極
８２１  第１の電極部材
８２２  第１の配線
８３  第２の電極
８３１  第２の電極部材
８３２  第２の配線
８４  絶縁部
【図１】
0003169569.tif 000003
【図２】
0003169569.tif 000004
【図３】
0003169569.tif 000005
【図４】
0003169569.tif 000006
【図５】
0003169569.tif 000007
【図６】
0003169569.tif 000008
【図７】
0003169569.tif 000009